(57)【要約】      （修正有）【課題】釣銭機の導入を低コストに行うことができる取引金額算出装置及び方法並びに金銭処理システム及び方法を提供すること。【解決手段】取引金額算出装置１０は、取引対象を識別するコード情報が入力される入力部１１と、前記コード情報と、前記取引対象の金額情報とを対応付けて記憶する記憶部１３と、入力されたコード情報に対応する金額情報を前記記憶部から取得する取得部１４と、取得した金額情報を加算して取引金額を算出する算出部１５と、前記取引金額を釣銭機に対して出力する出力部１６と、を備える。【選択図】図２
2011186702.tif 000002
【特許請求の範囲】
【請求項１】
取引対象を識別するコード情報が入力される入力部と、
前記コード情報と、前記取引対象の金額情報とを対応付けて記憶する記憶部と、
入力されたコード情報に対応する金額情報を前記記憶部から取得する取得部と、
取得した金額情報を加算して取引金額を算出する算出部と、
前記取引金額を釣銭機に対して出力する出力部と、
を備える取引金額算出装置。
【請求項２】
入力されたコード情報をキャッシュレジスタへ出力するコード情報出力部をさらに備えることを特徴とする請求項１に記載の取引金額算出装置。
【請求項３】
取引確定指示を受け付ける受付部をさらに備え、
前記受付部による前記取引確定指示の受け付けに伴い、前記出力部は前記取引金額を前記釣銭機へ出力することを特徴とする請求項１又は２に記載の取引金額算出装置。
【請求項４】
取引対象を識別するコード情報を読み取る読み取り部と、
前記コード情報と前記取引対象の金額情報とを対応付けて記憶する記憶部と、
前記読み取り部が読み取ったコード情報に対応する金額情報を前記記憶部から取得する取得部と、
取得した金額情報を加算して取引金額を算出する算出部と、
入金された貨幣を識別計数して入金額を特定すると共に、前記入金額及び前記取引金額に基づいて釣銭の出金を行う釣銭機と、
を備える金銭処理システム。
【請求項５】
前記記憶部、前記取得部、及び前記算出部が１つの筐体に収められ、当該筐体には、前記読み取り部から前記コード情報が入力される入力部と、前記釣銭機へ前記取引金額を出力する出力部とが設けられることを特徴とする請求項４に記載の金銭処理システム。
【請求項６】
前記記憶部、前記取得部、前記算出部、及び前記釣銭機が１つの筐体に収められ、当該筐体には、前記読み取り部から前記コード情報が入力される入力部が設けられることを特徴とする請求項４に記載の金銭処理システム。
【請求項７】
取引確定指示を受け付ける受付部をさらに備え、
前記受付部による前記取引確定指示の受け付けに伴い、前記釣銭機は入金額及び前記取引金額に基づいて釣銭の出金を行うことを特徴とする請求項４乃至６のいずれかに記載の金銭処理システム。
【請求項８】
前記読み取り部が読み取ったコード情報をキャッシュレジスタへ出力するコード情報出力部をさらに備えることを特徴とする請求項４乃至７のいずれかに記載の金銭処理システム。
【請求項９】
前記コード情報出力部から前記コード情報を受け取るキャッシュレジスタをさらに備えることを特徴とする請求項８に記載の金銭処理システム。
【請求項１０】
取引対象を識別するコード情報が入力されるステップと、
前記コード情報と、前記取引対象の金額情報とを対応付けて記憶する記憶部から、前記入力されたコード情報に対応する金額情報を取得するステップと、
前記取得した金額情報を加算して取引金額を算出するステップと、
前記取引金額を釣銭機に対して出力するステップと、
を備える取引金額算出方法。
【請求項１１】
取引対象を識別するコード情報を読み取るステップと、
前記コード情報と、前記取引対象の金額情報とを対応付けて記憶する記憶部から、前記読み取ったコード情報に対応する金額情報を取得するステップと、
前記取得した金額情報を加算して取引金額を算出するステップと、
釣銭機が、入金された貨幣を識別計数して入金額を特定すると共に、前記入金額及び前記取引金額に基づいて釣銭の出金を行うステップと、
を備える金銭処理方法。
【発明の詳細な説明】
【技術分野】
【０００１】
本発明は、取引金額を釣銭機へ出力する取引金額算出装置及び方法、並びにこの取引金額に基づいて釣銭の出金を行う金銭処理システム及び方法に関するものである。
【背景技術】
【０００２】
近年、スーパーマーケット等の店舗にはＰＯＳシステム（販売時点情報管理システム）が設置されている。ＰＯＳシステムは、ＰＯＳレジスタ及び当該ＰＯＳレジスタに通信接続される釣銭機を有する。各店舗に配設されるＰＯＳレジスタは、複数のＰＯＳレジスタの管理を行うホストコンピュータに通信接続される。
【０００３】
店舗において、顧客が商品の購入や、所望のサービスを受ける際に、店員がＰＯＳレジスタに商品やサービスのコード又は金額を手入力したり、商品に付されたバーコードをバーコードスキャナに読み取らせたりすることで、取引金額が特定される。それに対して、顧客が店員に金銭の支払いを行うと、店員は顧客からの預かり金を釣銭機に投入し、釣銭機が預かり金額を算出し、その金額情報をＰＯＳレジスタに送信することで、顧客からの預かり金額が特定される。ＰＯＳレジスタは、顧客からの預かり金額から取引金額を引いた釣銭額を算出し、この釣銭額を釣銭機に通知する。釣銭機は、ＰＯＳレジスタから通知された釣銭額の釣銭を出金する。
【０００４】
上述のような従来のＰＯＳシステムでは、ＰＯＳレジスタに対して新しい釣銭機を導入するにあたり、ＰＯＳレジスタと新しい釣銭機とを接続するために、釣銭機のインタフェースの開発や、ＰＯＳレジスタのインタフェースの開発が必要であり、コストや手間がかかるという問題があった。
【０００５】
このような問題を解決するために、キャッシュレジスタから表示部や印刷器等の外部装置へ送信される金銭情報の信号を釣銭機に与え、釣銭機が金銭情報の信号に基づいて釣銭の出金を行うシステムが提案されている（例えば特許文献１、２参照）。
【０００６】
しかし、キャッシュレジスタから外部装置へ送信される金銭情報の信号は、メーカー毎、機種毎によって信号形式が異なるため、釣銭出金のために複数のプログラムを準備する必要があり、コスト低減の妨げになるという問題があった。
【先行技術文献】
【特許文献】
【０００７】
【特許文献１】特開２００９−１６３５３６号公報
【特許文献２】特開平６−７６１６０号公報
【発明の概要】
【発明が解決しようとする課題】
【０００８】
本発明は、釣銭機の導入を低コストに行うことができる取引金額算出装置及び方法並びに金銭処理システム及び方法を提供することを目的とする。
【課題を解決するための手段】
【０００９】
本発明の一態様による取引金額算出装置は、取引対象を識別するコード情報が入力される入力部と、前記コード情報と、前記取引対象の金額情報とを対応付けて記憶する記憶部と、入力されたコード情報に対応する金額情報を前記記憶部から取得する取得部と、取得した金額情報を加算して取引金額を算出する算出部と、前記取引金額を釣銭機に対して出力する出力部と、を備えるものである。
【００１０】
本発明の一態様による取引金額算出装置においては、入力されたコード情報をキャッシュレジスタへ出力するコード情報出力部をさらに備えることが好ましい。
【００１１】
本発明の一態様による取引金額算出装置においては、取引確定指示を受け付ける受付部をさらに備え、前記受付部による前記取引確定指示の受け付けに伴い、前記出力部は前記取引金額を前記釣銭機へ出力することが好ましい。
【００１２】
本発明の一態様による金銭処理システムは、取引対象を識別するコード情報を読み取る読み取り部と、前記コード情報と前記取引対象の金額情報とを対応付けて記憶する記憶部と、前記読み取り部が読み取ったコード情報に対応する金額情報を前記記憶部から取得する取得部と、取得した金額情報を加算して取引金額を算出する算出部と、入金額及び前記取引金額に基づいて釣銭の出金を行う釣銭機と、を備えるものである。
【００１３】
本発明の一態様による金銭処理システムにおいては、前記記憶部、前記取得部、及び前記算出部が１つの筐体に収められ、当該筐体には、前記読み取り部から前記コード情報が入力される入力部と、前記釣銭機へ前記取引金額を出力する出力部とが設けられることが好ましい。
【００１４】
本発明の一態様による金銭処理システムにおいては、前記記憶部、前記取得部、前記算出部、及び前記釣銭機が１つの筐体に収められ、当該筐体には、前記読み取り部から前記コード情報が入力される入力部が設けられることが好ましい。
【００１５】
本発明の一態様による金銭処理システムにおいては、取引確定指示を受け付ける受付部をさらに備え、前記受付部による前記取引確定指示の受け付けに伴い、前記釣銭機は入金額及び前記取引金額に基づいて釣銭の出金を行うことが好ましい。
【００１６】
本発明の一態様による金銭処理システムにおいては、前記読み取り部が読み取ったコード情報をキャッシュレジスタへ出力するコード情報出力部をさらに備えることが好ましい。
本発明の一態様による金銭処理システムにおいては、前記コード情報出力部から前記コード情報を受け取るキャッシュレジスタをさらに備えることが好ましい。
【００１７】
本発明の一態様による取引金額算出方法は、取引対象を識別するコード情報が入力されるステップと、前記コード情報と、前記取引対象の金額情報とを対応付けて記憶する記憶部から、前記入力されたコード情報に対応する金額情報を取得するステップと、前記取得した金額情報を加算して取引金額を算出するステップと、前記取引金額を釣銭機に対して出力するステップと、を備えるものである。
【００１８】
本発明の一態様による金銭処理方法は、取引対象を識別するコード情報を読み取るステップと、前記コード情報と、前記取引対象の金額情報とを対応付けて記憶する記憶部から、前記読み取ったコード情報に対応する金額情報を取得するステップと、前記取得した金額情報を加算して取引金額を算出するステップと、釣銭機が、入金された貨幣を識別計数して入金額を特定すると共に、前記入金額及び前記取引金額に基づいて釣銭の出金を行うステップと、を備えるものである。
【発明の効果】
【００１９】
本発明によれば、釣銭機の導入を低コストに行うことができる。
【図面の簡単な説明】
【００２０】
【図１】本発明の実施形態に係る金銭処理システムの外観斜視図である。
【図２】同実施形態に係る金銭処理システムの概略構成図である。
【図３】同実施形態に係る金銭処理システムの動作を説明するフローチャートである。
【図４】変形例による金銭処理システムの概略構成図である。
【発明を実施するための形態】
【００２１】
以下、本発明の実施の形態を図面に基づいて説明する。
【００２２】
図１に本発明の実施形態に係る金銭処理システム１の外観斜視図を示し、図２に金銭処理システム１の概略構成図を示す。金銭処理システム１は架台２上に載置され、取引額算出装置１０、ハンディスキャナ２０、紙幣釣銭機３０、硬貨釣銭機５０及びＰＯＳレジスタ７０を備える。
【００２３】
まず、紙幣釣銭機３０の構成について図１及び図２を用いて説明する。紙幣釣銭機３０は、紙幣が挿入される入金口３２と、入金口３２によって受け入れられた紙幣を機内に取り込む繰込ユニット３４と、繰込ユニット３４に連結され、当該繰込ユニット３４によって繰り込まれた紙幣を搬送する接続搬送部３６ｂと、接続搬送部３６ｂに連結され、当該連結搬送部３６ｂから搬送された紙幣を搬送する周回搬送部３６ａとを有する。なお、この周回搬送部３６ａは、繰込ユニット３４によって繰り込まれた紙幣を搬送する場合には反時計回りの方向に紙幣を搬送し、後述する収納庫４０から繰り出された紙幣を搬送する場合には時計回りの方向に紙幣を搬送する。
【００２４】
また、図２に示すように、周回搬送部３６ａには、紙幣の金種等を識別する識別部３８が設けられており、周回搬送部３６ａで搬送される紙幣の金種等が識別される。また、周回搬送部３６ａには、接続識別部３６ｂを介して収納庫４０が連結されている。収納庫４０は複数（例えば３つ）設けられており、各収納庫４０はそれぞれ対応する接続搬送部３６ｂを介して周回搬送部３６ａに連結される。
【００２５】
各収納庫４０には、識別部３８による識別結果に基づいて、金種毎に紙幣が収納される。また、各収納庫４０には繰出機構（図示せず）が設けられており、各収納庫４０に収納された紙幣を繰出機構により接続搬送部３６ｂに繰り出すことができる。
【００２６】
また、周回搬送部３６ａには、例えば、各収納庫４０内の紙幣を全て、又は、売上金相当額だけを回収した場合等に、収納庫４０から繰り出された紙幣を収納する回収カセット４２が、接続搬送部３６ｂを介して連結されている。この回収カセット４２は、紙幣釣銭機３０本体の前面から手前側に引き出し可能となっている。
【００２７】
また、周回搬送部３６ａには、出金時に各収納庫４０から繰り出された紙幣が放出される放出ユニット４４が、接続搬送部３６ｂを介して連結されている。放出ユニット４４には、紙幣を機外へ放出する出金口４６が設けられている。
【００２８】
また、紙幣釣銭機３０には紙幣制御部３０ａが設けられている。紙幣制御部３０ａは取引額算出装置１０に通信接続されている。また、紙幣制御部３０ａは、紙幣釣銭機３０の各構成要素に接続されており、各構成要素の制御を行う。また、識別部３８による紙幣の金種等の識別結果は紙幣制御部３０ａに通知される。紙幣制御部３０ａは、識別部３８から通知された識別結果に基づいて入金された紙幣の合計金額を算出する。
【００２９】
また、紙幣制御部３０ａは、取引額算出装置１０から、１取引分の取引金額（例えば、顧客が購入した商品の合計金額）の情報を受信する。取引額算出装置１０による取引金額の情報の送信については後述する。
【００３０】
次に、硬貨釣銭機５０の構成について図１及び図２を用いて説明する。硬貨釣銭機５０は硬貨を受け入れる入金口５２と、入金口５２によって受け入れられた硬貨を機内に繰り入れる繰入機構（図示せず）と、繰入機構によって繰り入れられた硬貨を搬送する硬貨搬送部５４と、硬貨搬送部５４に設けられ、硬貨の金種等を識別する識別部５６とを有する。
識別部５６の下流側には、金種別に硬貨を収納する複数（例えば６つ）の収納庫５８が設けられている。
【００３１】
各収納庫５８には、当該収納庫５８から出金すべき硬貨を繰り出す繰出機構（図示せず）が連結されており、この繰出機構には、当該操出機構によって繰り出された硬貨を受け入れる出金口６０が連結されている。
【００３２】
また、硬貨搬送部５４の識別部５６の下流側であって、各収納庫５８と出金口６０の上流側に分岐部６２が設けられている。分岐部６２は、硬貨搬送部５４で搬送された硬貨を収納庫５８に搬送するか、又は出金口６０に搬送するかを分けるようになっている。この分岐部６２では、入金時に識別部５６で識別することができなかった硬貨をリジェクト硬貨の返却として出金口６０に戻すようになっている。
【００３３】
また、硬貨釣銭機５０には硬貨制御部５０ａが設けられている。硬貨制御部５０ａは、紙幣釣銭機３０の紙幣制御部３０ａに通信接続されている。硬貨制御部５０ａは、硬貨釣銭機５０の各構成要素に接続されており、各構成要素の制御を行う。識別部５６による硬貨の金種等の識別結果は硬貨制御部５０ａに通知される。
【００３４】
硬貨制御部５０ａは、識別部５６から通知された識別結果に基づいて、入金された硬貨の合計金額の情報を紙幣制御部３０ａへ送信する。紙幣制御部３０ａは、入金された紙幣の合計金額と、入金された硬貨の合計金額とを加算して、入金額を算出する。
【００３５】
紙幣制御部３０ａは、算出した入金額から、取引額算出装置１０から受信した取引金額を減算し、釣銭額を算出する。そして、紙幣制御部３０ａは釣銭額の内、紙幣で支払うべき釣銭について、収納庫４０から必要な紙幣を繰り出し、出金口４６から機外へ放出する。また、紙幣制御部３０ａは釣銭額から紙幣の釣銭額を差し引いた残りの釣銭額について、硬貨制御部５０ａに出金指示を行う。硬貨制御部５０ａは出金指示に基づいて、収納庫５８から必要な硬貨を繰り出し、出金口６０から払い出す。
【００３６】
ハンディスキャナ（読み取り部）２０は、取引対象（例えば顧客が購入した商品や、所望のサービス）を識別（区別）するバーコード等のコード情報を読み取る。ハンディスキャナ２０は読み取ったコード情報を取引額算出装置１０へ出力する。
【００３７】
また、ハンディスキャナ２０には、金額等の数字を手入力することのできるテンキーや、１取引分の取引対象のコード情報を全て読み取った後に押す確定キーなどが設けられている。ハンディスキャナ２０は、テンキーを介して入力された数字や、確定キーが押されたことを示す確定通知を取引額算出装置１０へ出力する。
【００３８】
本実施形態ではハンディスキャナ２０を用いてコード情報を読み取っているが、据置型スキャナなどの他のスキャナを用いてもよい。
【００３９】
取引額算出装置１０は、入力部１１、コード情報出力部１２、記憶部１３、取得部１４、算出部１５及び取引金額出力部１６を有する。入力部１１には、ハンディスキャナ２０から出力されたコード情報や確定通知等が入力される。また、ハンディスキャナ２０から取引額算出装置１０へ商品の割引情報を与えてもよいし、取引金額を直接入力できるようにしてもよい。
【００４０】
コード情報出力部１２は、入力部１１から入力されたコード情報をＰＯＳレジスタ７０へ出力する。
【００４１】
記憶部１３は、取引対象のコード情報と金額とを対応付けて記憶するメモリである。コード情報及び金額は、取引額算出装置１０の図示しないインタフェース部（例えばＵＳＢやメモリカード）を介して外部から入力することができる。
【００４２】
ハンディスキャナ２０を介して入力したコード情報及び金額を記憶部１３に記憶できるようにしてもよい。また、記憶部１３に記憶されている金額を、ハンディスキャナ２０を用いて変更できるようにしてもよい。
【００４３】
取得部１４は、入力部１１からコード情報を受け取り、このコード情報を用いて記憶部１３を検索し、コード情報に対応する金額を取得する。取得部１４は、取得した金額を算出部１５に通知する。
【００４４】
算出部１５は、取得部１４から通知された金額を加算する。算出部１５は、入力部１１にハンディスキャナ２０からの確定通知が入力されると、それまでの加算金額（合計金額）を取引金額として算出する。
【００４５】
取引金額出力部１６は、算出部１５により算出された取引金額を紙幣釣銭機３０の紙幣制御部３０ａへ出力する。釣銭機（紙幣釣銭機３０、硬貨釣銭機５０）は、この取引金額と、入金された金額とから釣銭額を算出し、釣銭を出金する。
【００４６】
ＰＯＳレジスタ７０は、表示部７０ａ、入力部７０ｂ、制御部７０ｃ及びカスタマーディスプレイ７２を有する。制御部７０ｃには、コード情報出力部１２から出力されたコード情報が入力される。制御部７０ｃは、入力されたコード情報や、このコード情報に対応する商品の情報等の様々な情報を表示部７０ａに表示させる。また、ＰＯＳレジスタ７０に、記憶部１３に記憶されている情報と同様の情報を保持させることで、制御部７０ｃは取引金額を算出し、表示部７０ａやカスタマーディスプレイ７２に表示させることができる。制御部７０ｃは、入力されたコード情報をホストコンピュータ（図示せず）へ送信するようになっている。
【００４７】
次に、このような構成からなる金銭処理システム１の動作について図３に示すフローチャートを用いて説明する。ここでは、店舗において顧客が商品の購入を行う場合について説明する。
【００４８】
（ステップＳ１０１）店員が、ハンディスキャナ２０を用いて商品のコード情報を読み取る。
【００４９】
（ステップＳ１０２）ハンディスキャナ２０が、読み取ったコード情報を取引額算出装置１０の入力部１１へ出力する。コード情報出力部１２が、入力部１１に入力されたコード情報をＰＯＳレジスタ７０へ出力する。
【００５０】
（ステップＳ１０３）取得部１４が、コード情報を用いて記憶部１３を検索し、商品の金額を取得する。取得部１４は、取得した金額を算出部１５に通知する。ＰＯＳレジスタ７０においても商品の金額を求められるようにしてもよい。
【００５１】
（ステップＳ１０４）顧客が購入する全ての商品のコード情報をハンディスキャナ２０により読み取った場合はステップＳ１０５へ進み、コード情報を読み取ってない商品が残っている場合はステップＳ１０１に戻る。
【００５２】
（ステップＳ１０５）店員がハンディスキャナ２０の確定キーを押す。ハンディスキャナ２０は確定通知を取引額算出装置１０へ出力する。
【００５３】
（ステップＳ１０６）算出部１５が、取得部１４から通知された金額を加算して、合計金額を取引金額として算出し、取引金額出力部１６を介して釣銭機（紙幣制御部３０ａ）へ出力する。なお、ＰＯＳレジスタ７０においてもこの合計金額（取引金額）を算出し、表示部７０ａやカスタマーディスプレイ７２に表示するようにしてもよい。
【００５４】
（ステップＳ１０７）顧客が金銭の支払いを行う。店員は顧客からの預かり金を釣銭機（紙幣釣銭機３０、硬貨釣銭機５０）に入金する。
【００５５】
（ステップＳ１０８）釣銭機（紙幣釣銭機３０、硬貨釣銭機５０）が、顧客からの預かり金の識別・計数を行い、預かり金を算出する。
【００５６】
（ステップＳ１０９）紙幣制御部３０ａが、ステップＳ１０８で算出した預かり金額から、ステップＳ１０６において取引額算出装置１０から受け取った取引金額を減算し、釣銭額を算出する。そして、釣銭機（紙幣釣銭機３０、硬貨釣銭機５０）から釣銭が出金される。店員は、釣銭機から出金された釣銭を顧客に手渡す。
【００５７】
このようにして、金銭処理システム１の一連の動作が終了する。
【００５８】
以上のように、本実施形態の金銭処理システムによれば、取引額算出装置１０は、ハンディスキャナ２０で読み取られた商品のコード情報を受け取ると共に、ＰＯＳレジスタ７０へ出力（転送）している。取引額算出装置１０は、このコード情報を用いて取引金額を算出し、釣銭機へ出力している。
【００５９】
従って、ＰＯＳレジスタ７０は、コード情報を受け取れればよく、釣銭情報の信号等を出力しなくてよい。またＰＯＳレジスタ７０が釣銭情報信号等を出力しなくても、釣銭機は取引金額を示す金銭情報の信号を取得できる。
【００６０】
従って、新しい釣銭機を導入する場合でも、ＰＯＳレジスタはコード情報を受け取るだけなので、インタフェースの開発やプログラムの準備が不要である。また、釣銭機は、取引金額を示す金銭情報の信号が入力されるだけなので、インタフェースの開発や改造が不要になる。そのため、既存のＰＯＳレジスタやキャッシュレジスタを置き換えたり、改良したりすることなく、そのまま釣銭機を導入することが可能となる。このように、本実施形態によれば、釣銭機の導入を低コストに行うことができる。
【００６１】
図１では、取引額算出装置１０が紙幣釣銭機３０及び硬貨釣銭機５０の後ろ側に設置されていたが、釣銭機３０、５０の横や上下等、任意の位置に設置することができる。
【００６２】
図４に示すように、取引額算出装置１０は、紙幣釣銭機３０と同じ筐体に収められていてもよい。また、取引額算出装置１０は、硬貨釣銭機５０と同じ筐体に収められていてもよい。また、紙幣釣銭機３０、硬貨釣銭機５０、及び取引額算出装置１０を同じ筐体に収めてもよい。
【００６３】
上記実施形態に係る金銭処理システム１は、クレジットカード等のカードによる支払いに対応できるようにしてもよい。例えば、金銭処理システム１にカードの読み取りを行うカード端末をさらに設ける。カードによる支払いの場合は、釣銭を出金する必要がないため、取引金額出力部１６は紙幣制御部３０ａへ、取引金額を出力せず、支払い処理が完了したことを通知するようにしてもよい。
【００６４】
上記実施形態において、釣銭機（紙幣釣銭機３０、硬貨釣銭機５０）に、入金された金額の表示を行う表示画面を設けてもよい。操作者（店員）は、表示画面に表示された入金額を、入力部７０ｂを介してＰＯＳレジスタ７０に入力するようにしてもよい。また、ＰＯＳレジスタ７０に、取引された商品、取引金額、預かり金額、釣銭額等を印刷媒体等に印刷するプリンタを設けても良い。
【００６５】
上記実施形態では、金銭処理システム１はＰＯＳレジスタ７０を備えていたが、ＰＯＳ端末でなく、ホストコンピュータと接続されておらず、単独で機能し、販売された商品の情報（ハンディスキャナ２０が読み取ったコード情報）を管理するキャッシュレジスタを備える構成にしてもよい。
【００６６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６７】
１  金銭処理システム
１０  取引額算出装置
１１  入力部
１２  コード情報出力部
１３  記憶部
１４  取得部
１５  算出部
１６  取引金額出力部
２０  ハンディスキャナ
３０  紙幣釣銭機
５０  硬貨釣銭機
７０  ＰＯＳレジスタ
【図１】
2011186702.tif 000003
【図２】
2011186702.tif 000004
【図３】
2011186702.tif 000005
【図４】
2011186702.tif 000006